(57)【要約】【課題】稼働側実装部の開方向への移動を規制するとともに脚部材として機能する突き当て部品が外れることがない折り畳み式電子機器を提供する。【解決手段】上部筐体５と下部筐体６とを有する固定側実装部２と、固定側実装部２の一端部にヒンジ部７を介して取付けられた稼働側実装部３と、稼働側実装部３の開く動作を規制する突き当て部品４とを備える。突き当て部品４は、固定側実装部２の一端部にその一部下部筐体６より下方に突出する状態で取付けられる。突き当て部品４を固定側部材に取付ける取付構造８は、突き当て部品４が下部筐体６に嵌合する第１の嵌合部９と突き当て部品４が上部筐体５に第１の嵌合部９の嵌合方向とは異なる嵌合方向から嵌合する第２の嵌合部１０とによって構成されている。【選択図】  図１
2011175331.tif 000002
【特許請求の範囲】
【請求項１】
上部筐体と下部筐体とによって形成された固定側実装部と、
前記固定側実装部の一端部にヒンジ部を介して上下方向に開閉可能に取付けられた稼働側実装部と、
この稼働側実装部が開くときの動作を規制する突き当て部品とを備え、
前記突き当て部品は、前記固定側実装部の前記一端部にその一部が前記下部筐体より下方に突出する状態で取付けられ、
この突き当て部品を前記固定側部材に取付ける取付構造は、前記突き当て部品が前記下部筐体に嵌合する第１の嵌合部と、前記突き当て部品が前記上部筐体に前記第１の嵌合部の嵌合方向とは異なる嵌合方向から嵌合する第２の嵌合部とによって構成されていることを特徴とする折り畳み式電子機器。
【請求項２】
請求項１記載の折り畳み式電子機器において、前記第１の嵌合部と第２の嵌合部とのうちいずれか一方の嵌合部の嵌合方向は、前記下部筐体に上部筐体を組み付けるときの方向と同一方向であることを特徴とする折り畳み式電子機器。
【請求項３】
請求項１または請求項２記載の折り畳み式電子機器において、前記第１の嵌合部は、前記下部筐体に形成された凹部と、この凹部に嵌合できるように前記突き当て部品に形成された凸部とによって構成され、
前記凸部には、嵌合方向とは直交する方向に突出し、前記凹部に係止される係止爪が形成されていることを特徴とする折り畳み式電子機器。
【請求項４】
請求項１ないし請求項３のうちいずれか一つに記載の折り畳み式電子機器において、前記突き当て部品は、前記稼働側実装部の開く動作を規制する状態において、下部筐体に嵌合するときの方向に稼働側実装部によって押されるものであることを特徴とする折り畳み式電子機器。
【請求項５】
請求項１ないし請求項４のうちいずれか一つに記載の折り畳み式電子機器において、前記突き当て部品は、前記固定側実装部の幅方向に延びるように形成されるとともに、固定側実装部の前記一端部における幅方向の中央部に配設され、
前記第１の嵌合部は、前記幅方向に間隔をおいて並ぶように設けられていることを特徴とする折り畳み式電子機器。
【発明の詳細な説明】
【技術分野】
【０００１】
本発明は、固定側実装部にヒンジ部によって上下方向に開閉可能に稼働側実装部が取付けられた折り畳み式電子機器に関し、特に稼働側実装部の開く動作を規制する突き当て部品に関するものである。
【背景技術】
【０００２】
従来の開閉する稼働実装部を備えた折り畳み式電子機器としては、例えば特許文献１に記載されているノートブック型コンピュータがある。この特許文献１に開示されているノートブック型コンピュータは、キーボードを有する固定側実装部と、この固定側実装部の後端部にヒンジ部を介して上下方向に開閉可能に取付けられた稼働側実装部とを備えている。
【０００３】
前記固定側実装部の前記後端部であって、固定側実装部の幅方向（左右方向）の両端部には、前記稼働側実装部の開く動作を最も大きく開いたときに規制するために突き当て部品（ストッパー）が設けられている。この突き当て部品は、前記稼働側実装部の開く動作を規制するときに、稼働側実装部によって斜め下方に向けて押される。
また、この突き当て部品は、前記固定側実装部の前記後端部において、最も下に位置するように形成されている。すなわち、この突き当て部品は、ノートブック型コンピュータの後端部の脚としての機能をも有している。
【先行技術文献】
【特許文献】
【０００４】
【特許文献１】特開２００５−１６５６３７号公報
【発明の概要】
【発明が解決しようとする課題】
【０００５】
特許文献１に開示されている折り畳み式電子機器は、前記突き当て部品が固定側実装部から外れてしまうおそれがあった。これは、以下の二つの理由による。第１の理由は、突き当て部品が稼働側実装部をそれ以上開くことがないように規制するときに、稼働側実装部によって斜め下方に押されるからである。第２の理由は、固定側実装部を例えば机の上で滑らせて移動させるような場合に突き当て部品に大きな摩擦力が作用するからである。
【０００６】
本発明はこのような問題を解消するためになされたもので、稼働側実装部の開方向への移動を規制するとともに脚部材として機能する突き当て部品が外れることがない折り畳み式電子機器を提供することを目的とする。
【課題を解決するための手段】
【０００７】
この目的を達成するために、本発明に係る折り畳み式電子部品は、上部筐体と下部筐体とによって形成された固定側実装部と、前記固定側実装部の一端部にヒンジ部を介して上下方向に開閉可能に取付けられた稼働側実装部と、この稼働側実装部が最も大きく開くときの位置を規制する突き当て部品とを備え、前記突き当て部品は、前記固定側実装部の前記一端部にその一部が前記下部筐体より下方に突出する状態で取付けられ、この突き当て部品を前記固定側部材に取付ける取付構造は、前記突き当て部品が前記下部筐体に嵌合する第１の嵌合部と、前記突き当て部品が前記上部筐体に前記第１の嵌合部の嵌合方向とは異なる嵌合方向から嵌合する第２の嵌合部とによって構成されているものである。
【発明の効果】
【０００８】
本発明によれば、第１の嵌合部の嵌合が外れる方向への突き当て部品の移動は、第２の嵌合部において上部筐体が突き当て部品に嵌合していることにより規制される。また、第２の嵌合部が外れる方向への突き当て部品の移動は、第１の嵌合部において突き当て部品が下部筐体に嵌合していることにより規制される。
【０００９】
したがって、突き当て部品は、第１、第２の嵌合部において下部筐体、上部筐体に嵌合している状態で下部筐体に上部筐体が固定されることによって、固定側実装部に固定される。この結果、本発明によれば、稼働側実装部の開方向への移動を規制するとともに脚部材として機能する突き当て部品が外れることがない折り畳み式電子機器を提供することができる。
【図面の簡単な説明】
【００１０】
【図１】本発明に係る折り畳み式電子機器の基本的な構成を示す断面図である。
【図２】本発明に係る折り畳み式電子機器の使用状態を示す斜視図である。
【図３】本発明に係る折り畳み式電子機器の分解斜視図である。
【図４】要部を拡大して示す断面図で、同図は稼働側実装部を閉じた状態を示す。
【図５】要部を拡大して示す断面図で、同図は稼働側実装部を最も大きく開いた状態を示す。
【図６】突き当て部品の断面図である。
【図７】嵌合爪の平面図である。
【発明を実施するための形態】
【００１１】
本発明に係る折り畳み式電子機器の基本的な構成を図１によって詳細に説明する。
図１に示す折り畳み式電子機器１は、固定側実装部２と、稼働側実装部３と、突き当て部品４とを備えている。この電子機器１は、固定側実装部２を例えば机や使用者の膝の上などに載せた状態で使用するものである。前記固定側実装部２は、上部筐体５と下部筐体６とによって形成されている。前記稼働側実装部３は、前記固定側実装部２の一端部にヒンジ部７を介して上下方向に開閉可能に取付けられている。
【００１２】
前記突き当て部品４は、前記稼働側実装部３が開くときの動作を最も大きく開く位置で規制するためのもので、前記固定側実装部２の前記一端部に後述する取付構造８によって取付けられている。また、突き当て部品４は、その一部が前記下部筐体６より下方に突出する状態で固定側実装部２に取付けられている。このため、突き当て部品４は、この折り畳み式電子機器１の一端部において実質的に脚部材として機能するようになる。すなわち、折り畳み式電子機器１を例えば机の上に載せた状態において、電子機器１が横に滑ることを突き当て部品４と机との摩擦によって防ぐことができる。
【００１３】
前記取付構造８は、前記突き当て部品４が前記下部筐体６に嵌合する第１の嵌合部９と、前記突き当て部品４が前記上部筐体５に嵌合する第２の嵌合部１０とによって構成されている。第１の嵌合部９と第２の嵌合部１０とは、突き当て部品４が上部筐体５、下部筐体６に嵌合するときの嵌合方向が互いに異なるように形成されている。
【００１４】
図１に示すように構成された折り畳み式電子機器１においては、第１の嵌合部９の嵌合が外れる方向への突き当て部品４の移動は、第２の嵌合部１０において上部筐体５が突き当て部品４に嵌合していることにより規制される。また、第２の嵌合部１０が外れる方向への突き当て部品４の移動は、第１の嵌合部９において突き当て部品４が下部筐体６に嵌合していることにより規制される。
【００１５】
したがって、突き当て部品４は、第１、第２の嵌合部１０において上部筐体５、下部筐体６に嵌合している状態で下部筐体６に上部筐体５が固定されることによって、固定側実装部２に固定される。このため、この実施例によれば、稼働側実装部３の開く方向への移動を規制するとともに脚部材として機能する突き当て部品４が外れることがない折り畳み式電子機器を提供することができる。
【００１６】
次に、本発明に係る折り畳み式電子機器の具体的な実施例を図２〜図７によって詳細に説明する。これらの図において、前記図１によって説明したものと同一もしくは同等の部材については、同一符号を付し詳細な説明を適宜省略する。この実施例においては、折り畳み式電子機器の使用者側から見て手前側を電子機器の前側といい、反対側を後側という。図２に示す折り畳み式電子機器１においては、同図において左側の端部を前端部といい、右側の端部を後端部という。また、この実施例においては、折り畳み式電子機器１を上方から見て前記前後方向とは直交する方向を左右方向という。
【００１７】
この実施例に示す折り畳み式電子機器１は、固定側実装部２と稼働側実装部３とにそれぞれ電子機器としての機能を振り分けて構成されている。
この実施例による固定側実装部２は、図２および図３に示すように、フロントケース１１と、このフロントケース１１の下部に取付けられたリアカバー１２とによって形成されている。この実施例においては、フロントケース１１によって本発明でいう上部筐体が構成され、リアカバー１２によって本発明でいう下部筐体が構成されている。
【００１８】
前記リアカバー１２の下面は、例えば机や使用者の膝の上に安定性よく載せることができるように、略平坦に形成されている。
前記フロントケース１１とリアカバー１２とは、突き当て部品４が後述する取付構造８（図４，５参照）によって組み付けられた状態で互いに離れることができないように例えばボルト（図示せず）によって締結されている。
【００１９】
前記フロントケース１１の後端部であって、フロントケース１１の左右方向の両端部には、ヒンジ部７が設けられている。稼働側実装部３は、このヒンジ部７を介して固定側実装部２に上下方向に開閉可能に取付けられている。
また、このフロントケース１１の後端部における前記ヒンジ部７どうしの間には、図３〜図５に示すように、後述する突き当て部品４を取付けるための突起２１が形成されている。この突起２１は、フロントケース１１の後端部から下方に突出するように形成されている。この実施例による前記突起２１は、電子機器１の左右方向に所定の長さで延びる板状に形成されている。この突起２１の前記左右方向の長さは、後述する突き当て部品４の長さと同等の長さに形成されている。
【００２０】
前記リアカバー１２の後端部における左右方向の中央部には、突き当て部品４を装着するための凹陥部２２が形成されている。この凹陥部２２は、電子機器１の後方と下方とに向けて開放するように形成されている。リアカバー１２における前記凹陥部２２内に露出する部分には、図３に示すように、突き当て部品４を取付けるための複数の凹部２３が開口している。これらの凹部２３は、図４および図５に示すように、電子機器１の前後方向（図４および図５においては左右方向）に延びるように形成されている。また、これらの凹部２３は、電子機器１の左右方向に所定の間隔をおいて離間する位置にそれぞれ配設されている。
【００２１】
この実施例による突き当て部品４は、図２および図３に示すように、前記固定側実装部２の幅方向（左右方向）に延びるように形成されている。この突き当て部品４を形成するための材料は、稼働側実装部３に較べて柔軟性が高い材料が用いられている。この突き当て部品４は、例えばゴムや柔軟性を有するプラスチック材料によって形成することができる。また、突き当て部品４は、固定側実装部２の後端部における幅方向の中央部に、前記凹陥部２２内に収容されるように配設されている。突き当て部品４は、この実施例においても、その一部がリアカバー１２より下方に突出する状態で固定側実装部２に取付けられている。このため、突き当て部品４は、電子機器１の後端部において脚部としての機能を有するものである。
【００２２】
突き当て部品４の前端部（図４，５においては左側の端部）には、図３〜図６に示すように、前記リアカバー１２の凹部２３内に嵌合する複数の嵌合爪２４が形成されている。この実施例においては、この嵌合爪２４によって請求項３記載の発明でいう「凸部」が構成されている。これらの嵌合爪２４は、図７に示すように、平面視において矢印を呈する形状で、突き当て部品４の前端部から前方へ突出するように形成されている。すなわち、各嵌合爪２４は、電子機器１の左右方向においてリアカバー１２の凹部２３と同じ位置に位置付けられており、電子機器１の前後方向に延びている。
【００２３】
各嵌合爪２４の両側部には、前記凹部２３に係止される一対の係止爪２４ａが設けられている。また、この嵌合爪２４の幅方向の中央部には、嵌合爪２４の先端から基部側へ向けて切り欠き２４ｂが形成されている。この嵌合爪２４は、係止爪２４ａが凹部２３の壁に押され、前記切り欠き２４ｂの開口幅が狭くなるように弾性変形した状態で凹部２３内に挿入される。このため、嵌合爪２４は、凹部２３内に嵌合した後は、係止爪２４ａが凹部２３に係止されるために、容易に外すことはできないものである。
【００２４】
この実施例においては、これらの嵌合爪２４と、リアカバー１２の前記複数の凹部２３とによって、本発明でいう第１の嵌合部９が構成されている。すなわち、第１の嵌合部９は、電子機器１の幅方向に所定の間隔をおいて並ぶように設けられている。
各第１の嵌合部９においては、嵌合爪２４が電子機器１の後方から前記凹部２３内に押し込まれて嵌合している。すなわち、この第１の嵌合部９の嵌合方向は、電子機器１の後方から前方に向かう前後方向である。
【００２５】
突き当て部品４の後側の上端部には、図４〜図６に示すように、前記フロントケース１１の突起２１が嵌合する凹部２５が形成されている。この凹部２５は、上方に向けて開口しかつ電子機器１の左右方向（突き当て部品４の長手方向）に延びる溝状に形成されている。この凹部２５と、前記フロントケース１１の突起２１とによって、本発明でいう第２の嵌合部１０が構成されている。
【００２６】
この第２の嵌合部１０において、前記突起２１が突き当て部の凹部２３に嵌合する方向は、上方から下方に向かう上下方向である。すなわち、この第２の嵌合部１０の嵌合方向は、前記第１の嵌合部９の嵌合方向とは異なっている。この実施例においては、第１の嵌合部９の嵌合方向は前後方向であり、第２の嵌合部１０の嵌合方向は上下方向であるから、これら両嵌合部９，１０の嵌合部は互いに直交することになる。
【００２７】
突き当て部品４の後端部には、図４〜図６に示すように、稼働側実装部３が当接する受圧面２６が形成されている。この受圧面２６は、稼働側実装部３が最も大きく開いた状態で稼働側実装部３の一端面３ａが当接するように形成されている。この実施例による前記受圧面２６は、稼働側実装部３から受ける力が電子機器１の略前方に向けて作用するような位置に形成されている。このときに突き当て部品４が受ける力の方向を図５中に矢印Ａで示す。すなわち、突き当て部品４は、前記稼働側実装部３の開く動作を規制する状態において、リアカバー１２に嵌合するときの方向に稼働側実装部３によって押される。
【００２８】
この実施例に示す折り畳み式電子機器１において、突き当て部品４を取付けるためには、先ず、突き当て部品４の複数の嵌合爪２４をリアカバー１２の凹部２３に押し込むようにして嵌合させる。次に、リアカバー１２にフロントケース１１を上方から被せる。このとき、フロントケース１１を下方に移動させ、フロントケース１１の突起２１を突き当て部品４の凹部２５に嵌合させる。そして、この状態でリアカバー１２にフロントケース１１を例えばボルト（図示せず）によって固定することによって、突き当て部品４の固定側実装部３への取付けが完了する。
【００２９】
突き当て部品４が固定側実装部３に取付けられている状態においては、稼働側実装部３の開く動作が突き当て部品４によって規制される。すなわち、稼働側実装部３が大きく開くことによって、図５に示すように、稼働側実装部３の一端面３ａが突き当て部品４の受圧面２６に当接する。
【００３０】
この実施例に示す電子機器１においても、前記第１の嵌合部９の嵌合が外れる方向（後方）への突き当て部品４の移動は、第２の嵌合部１０においてフロントケース１１が突き当て部品４に上方から嵌合していることにより規制される。また、第２の嵌合部１０が外れる方向（下方）への突き当て部品４の移動は、第１の嵌合部９において突き当て部品４がリアカバー１２に嵌合していることにより規制される。
【００３１】
したがって、突き当て部品４は、この実施例においても、第１、第２の嵌合部９，１０においてフロントケース１１、リアカバー１２に嵌合している状態でリアカバー１２にフロントケース１１が固定されることによって、固定側実装部２に固定される。この結果、この実施例による折り畳み式電子機器１を例えば机の上において横に滑らせて移動させたとしても、突き当て部品４が摩擦力で引き剥がされるようなことはない。
【００３２】
この実施例においては、前記第２の嵌合部１０の嵌合方向は、前記リアカバー１２に前記フロントケース１１を組み付けるときの方向と同一方向である。このため、第２の嵌合部１０において嵌合を行う作業と、リアカバー１２とフロントケース１１とを組み合わせる作業とを同一の工程で行うことができる。したがって、この実施例による折り畳み式電子機器１は、突き当て部品４が二箇所の嵌合部９，１０で固定側実装部２に取付られているにもかかわらず、組立を容易に行うことができるものとなる。
【００３３】
この実施例による前記第１の嵌合部９は、リアカバー１２に形成された凹部２３と、この凹部２３に嵌合できるように突き当て部品４に形成された嵌合爪２４とによって構成されている。前記嵌合爪２４には、嵌合方向とは直交する方向に突出して前記凹部２３に係止される係止爪２４ａが形成されている。
【００３４】
このため、第１の嵌合部９において突き当て部品４がリアカバー１２に嵌合されている状態で突き当て部品４をリアカバー１２に仮に保持させることができる。すなわち、突き当て部品４をリアカバー１２に組み付けた状態においては、突き当て部品４がリアカバー１２から脱落することはない。この結果、この実施例によれば、組立がより一層容易な折り畳み式電子機器１を提供することができる。
【００３５】
この実施例による突き当て部品４は、前記稼働側実装部３の開く動作を規制する状態において、リアカバー１２に嵌合するときの方向（後から前へ向かう方向）に稼働側実装部３によって押されるものである。このため、稼働側実装部３が突き当て部品４を押すときの力で突き当て部品４がリアカバー１２から外れるようなことはない。
【００３６】
この実施例による突き当て部品４は、前記固定側実装部２の幅方向に延びるように形成されるとともに、固定側実装部２の後端部における幅方向の中央部に配設されている。また、前記第１の嵌合部９は、前記幅方向に間隔をおいて並ぶように設けられている。
このため、稼働側実装部３の開く動作を規制する機能と、脚部材として電子機器１の後端部を支持する機能とを１個の突き当て部品４によって実現することができる。
【符号の説明】
【００３７】
１…折り畳み式電子機器、２…固定側実装部、３…稼働側実装部、４…突き当て部品、５…上部筐体、６…下部筐体、７…ヒンジ部、９…第１の嵌合部、１０…第２の嵌合部、１１…フロントケース、１２…リアカバー、２１…突起、２３，２５…凹部、２４…嵌合爪、２４ａ…係止爪。
【図１】
2011175331.tif 000003
【図２】
2011175331.tif 000004
【図３】
2011175331.tif 000005
【図４】
2011175331.tif 000006
【図５】
2011175331.tif 000007
【図６】
2011175331.tif 000008
【図７】
2011175331.tif 000009